(57)【要約】      （修正有）【課題】破損がなく耐用性に優れた物品の収容体を提供する。また運搬中などの収容物品の飛び出しや脱落を確実に防止する収容体を提供する。さらに物品の出し入れが容易であり、また取り扱いも簡易な収容体を提供する。【解決手段】物品を出し入れ可能な収容部と、収容部の一対のフラップＡ、Ｂと、一方のフラップＡの外側に配置された一方のポケット部ａと、他方のフラップＢの外側に配置された他方のポケット部ｂと、一対の係脱手段として一方の挿入口５と他方の挿入片６とを備え、フラップＡにおけるポケット部ａの内部を外方に反転してフラップＡの外側のポケット部ａをフラップＡの内側へ変位させる一方、反転されたポケット部ａに他方のフラップＢを挿入して両フラップを重ね合わせ、挿入口に挿入片を挿入係止して両フラップを着脱可能に連結し、両フラップにより収容部の上部開口を開閉可能に覆う。【選択図】図１
0003117023.tif 000002
【実用新案登録請求の範囲】
【請求項１】
物品を出し入れ可能に収容する収容部と、収容部の上部開口縁に設けられた少なくとも一対のフラップＡ、Ｂとを備え、一方のフラップＡのポケット部ａに他方のフラップＢを挿入して両フラップを重ね合わせるとともに、フラップＡ、Ｂに設けられた一対の係脱手段を介して両フラップを着脱可能に連結し、両フラップにより収容部の上部開口を開閉可能に覆うように構成した物品の収容体。
【請求項２】
物品を出し入れ可能に収容する収容部と、収容部の開口縁部に設けられた一対のフラップＡ、Ｂと、一方のフラップＡの外側に配置されかつ下端を開口する一方のポケット部ａと、他方のフラップＢの外側に配置されかつ下端を開口する他方のポケット部ｂと、一対の係脱手段として一方のフラップＡまたは一方のポケット部ａに形成された挿入口５と他方のフラップＢまたは他方のポケット部ｂに設けられた挿入片６とを備え、フラップＡにおけるポケット部ａの内部を外方に反転してフラップＡの外側のポケット部ａをフラップＡの内側へ変位させる一方、反転されたポケット部ａに他方のフラップＢを挿入して両フラップを重ね合わせ、挿入口に挿入片を挿入係止して両フラップを着脱可能に連結し、両フラップにより収容部の上部開口を開閉可能に覆うように構成した物品の収容体。
【請求項３】
前記ポケット部を台車の枠部などの固定部に対する着脱可能な係合部とした請求項２に記載の収容体。
【請求項４】
前記ポケット部をフラップにおける手掛け部とした請求項２に記載の収容体。
【請求項５】
一方のフラップＡまたは一方のポケット部ａに形成された挿入口と他方のフラップＢまたは他方のポケット部ｂに設けられた挿入片とからなる一対の係脱手段において、挿入口に挿入されるとともに外方に突出する挿入片を上方へ引き出し可能とした請求項２に記載の収容体。
【請求項６】
挿入口から外方に突出する挿入片を運搬時における把手とした請求項２に記載の収容体。
【請求項７】
挿入口に挿入片を係止して両フラップを着脱可能に連結し、両フラップＡ、Ｂにより収容部の上部開口を覆う収容体において、収容部の上下方向を逆転するとともに挿入片と挿入口との係止を解いて両フラップＡ、Ｂの連結を解除し、開放された上部開口から収容部内の物品が落下して取り出し可能とした請求項２に記載の収容体。
【考案の詳細な説明】
【技術分野】
【０００１】本考案はクリーニング業やリネンサプライ業における洗濯用の衣類、シーツ等のリネン類などの物品の保管、運搬等に用いる物品の収容体にかんする。
【背景技術】
【０００２】例えば、クリーニング業やリネンサプライ業で使用される運搬袋６６は、円筒状の袋体６０の開口縁部６２の近傍に巾着紐６３を挿通した大型の巾着袋にクリーニング用の衣類などを収容した後、開口６１を巾着紐６３で絞り、運搬中における収容物品の袋体６０からの飛び出しや開口６１からの脱落を防止している（図２０参照）。しかしこのような運搬袋６６は開口周縁に設けられた支持部６５に巾着紐６２が挿通されるため、支持部６５と巾着紐６２との接触摩擦が支持部６５の破損や巾着紐６２の磨耗を惹起する原因となる。またクリーニング用の衣類等の場合、許容量以上の詰め込みがおこなわれやすいところからも支持部６５の破損が生じ易い。
【特許文献】実用新案登録第３０４４３１２号公報
【考案の開示】
【考案が解決しようとする課題】
【０００３】本考案が解決しようとする課題は、従来の運搬袋にみられるこのような欠点を解消し、開口における破損もなく、耐用性に優れた物品の収容体を提供することにある。また運搬中などの収容物品の飛び出しや脱落を確実に防止する収容体の提供を課題とする。さらに物品の出し入れが容易であり、また取り扱いも簡易な収容体の提供を課題とする。
【課題を解決するための手段】
【０００４】上記課題を解決するため、本考案にかかる物品の収容体は次のような手段を採用する。すなわち、物品を出し入れ可能に収容する収容部と、収容部の上部開口縁に設けられた少なくとも一対のフラップＡ、Ｂとを備え、一方のフラップＡのポケット部ａに他方のフラップＢを挿入して両フラップを重ね合わせるとともに、フラップＡ、Ｂに設けられた一対の係脱手段を介して両フラップを着脱可能に連結し、両フラップにより収容部の上部開口を開閉可能に覆うように構成した。【０００５】また物品を出し入れ可能に収容する収容部と、収容部の開口縁部に設けられた一対のフラップＡ、Ｂと、一方のフラップＡの外側に配置されかつ下端を開口する一方のポケット部ａと、他方のフラップＢの外側に配置されかつ下端を開口する他方のポケット部ｂと、一対の係脱手段として一方のフラップＡまたは一方のポケット部ａに形成された挿入口５と他方のフラップＢまたは他方のポケット部ｂに設けられた挿入片６とを備え、フラップＡにおけるポケット部ａの内部を外方に反転してフラップＡの外側のポケット部ａをフラップＡの内側へ変位させる一方、反転されたポケット部ａに他方のフラップＢを挿入して両フラップを重ね合わせ、挿入口に挿入片を挿入係止して両フラップを着脱可能に連結し、両フラップにより収容部の上部開口を開閉可能に覆うように構成した。
【考案の効果】
【０００６】本考案にかかる物品の収容体によれば、従来の運搬袋にみられるこのような上部開口の周縁部分における破損がなく、長期に亘り使用が可能である。そして収容された物品は確実に収容されるとともに物品の出し入れが容易であり、またその取り扱いも簡易である。
【考案を実施する為の最良の形態】
【０００７】本考案を実施するための最良の形態について説明する。本発明にかかる収容体５０は上部開口２を有する収容部１を備え、収容部１にはクリーニング用の衣類、シーツ等のリネン類など種々物品７が収容される。衣類などの物品７は上部開口２を通じて収容部１に出し入れされる。収容部１は袋状であり、例えば合成樹脂製の変形可能な布状物等で形成される。収容部１の下部３は隅部２０が丸みを有する構造とするのが好ましい。また収容部１は下部３に底部となる面状部を有しない（図２参照）。クリーニング用の衣類のように多数の単品を纏めて収容する場合、その許容量を超えて物品７を収容部１に押し込みがちである。過度な詰め込みは物品を収容部１から取り出す際の支障になるが、収容部１は下部３の隅部２０が丸みを有しているから、物品の過度の詰め込みが回避される。また下部３は底部となる面状部を有しないから、有効に過度の詰め込みが回避される。収容部の下部３には幅方向（図１における左右方向）のほぼ中央に把手１１が設けてある。
【０００８】収容部１の上部開口２の縁部には一対のフラップＡ、Ｂが設けてある。フラップＡ、Ｂは、袋状の収容部１と同様に、合成樹脂製の変形可能な布状物等で形成される。上部開口縁部１２（つまりフラップの基端）からフラップの上縁１３までの長さ、つまり高さはフラップＢがフラップＡより大きい（図７参照）。上部開口縁部１２から延びるフラップＡ、Ｂは収容部１と一体に形成されているが（図７参照）、上部開口縁部１２にフラップＡ、フラップＢの基端を逢着してもよい（図示せず）。ポケット部ａは開口する下縁９の両端部を中央に向けて長さｎだけフラップＡと重ね合わせて固着（この場合は逢着）し、ポケット部ａの下縁９の開口幅が若干狭くなっている。ポケット部ａの開口の両端部に補強片２１を逢着し、下縁９の狭められた開口の両端部の強度を補強している（図１参照）。
【０００９】フラップＡ、Ｂの少なくとも一方の面、つまりフラップの内側および／または外側にポケット部ａ、ｂを設けることができる。フラップの内側とは一対のフラップＡ、Ｂの互いの対向面側をいい、フラップの外側とはその反対側をいう。図２の収容体５０でいえば、一方のフラップＡは外側にポケット部ａを有し、他方のフラップＢは外側にポケット部ｂを有する。一方のフラップＡの外側にあるポケット部ａは下縁９が開口し、ポケット部ａの上部（この場合は上縁）に挿入口５が形成されている。図示の場合、ポケット部ａとフラップＡはその上縁１３が一致しているから、挿入口５はポケット部ａの上縁１３でありかつフラップＡの上縁１３に配置されている。挿入口５はポケット部ａ（および／またはフラップＡ）の上縁１３でかつ幅方向（図１における左右方向）のほぼ中央に形成するのが好ましい．しかし挿入口の配置する箇所はこれに限定されず、また上縁でなくてもよい。
【００１０】他方のフラップＢの外側にあるポケット部ｂは下縁１０が開口し、ポケット部ｂの上部、つまりポケット部ｂの上縁１５あるいはその近傍（図２では上縁の近傍）に挿入片６が設けてある。挿入片６はフラップＢの上部に設けることもできる（図示せず）。いずれの場合も、挿入片６はポケット部ａ（またはフラップＢ）のの幅方向のほぼ中央に設けるのが好ましい。すなわち挿入片６と挿入口５はその幅方向において対応する位置関係にあり、後述のように、挿入片６と挿入口５が一対の係脱手段として構成されている。挿入片６の構造、形状は任意であるが、図示の場合、挿入片６は合成樹脂製の変形可能な布状物であり、細長片の両端部をフラップＢに逢着して固定され、把手としての機能も併有する。
【００１１】フラップＡのポケット部ａは内部を外方へ向けて反転可能である。ポケット部ａの反転によりポケット部ａの内部が外方に露出するとともに、フラップＡの外側に配置されていたポケット部ａがフラップＡの内側へと変位する（図７、８参照）。ポケット部ａのフラップＡに対する位置関係が外側から内側へと変わるが、フラップＡの内側に下縁９を開口して配置されたポケット部ａにおける挿入口５の位置に変化はなく、反転後も挿入口５はポケット部ａの上縁１３（フラップＡの上縁１３）でかつほぼその中央に位置している。なおポケット部ａの下縁９の開口幅は両端がそれぞれ長さｅだけ狭くなっているから、反転によりポケット部ａの下縁９は両端側からやや絞られたような状態で開口している（図３参照）。
【００１２】フラップＡの内側へ変位したポケット部ａにフラップＢが挿入され、対向する一対のフラップＡ、Ｂの全体あるいは少なくともその一部が重ね合わされる。すなわちポケット部ａの下縁９の開口からフラップＢを挿入するとともに、フラップＢの上部に設けられた挿入片６をフラップＡの上縁１３の挿入口５に挿入する。挿入口５から挿入片６がフラップＡの外方に露出することにより、挿入片６が挿入口５に係止される。この場合、挿入片６と挿入口５は一対の係脱手段として構成されており、挿入口５への挿入片６の挿入、挿入口５から挿入片６の抜き取りによりフラップＡとフラップＢが着脱可能に係止される。なお一対の係脱手段は挿入片６と挿入口５に限定されない（図８、９参照）。
【００１３】収容部１の上部開口２の上方において、内部側のフラップＢ、ポケット部ｂに対して表面側のフラップＡ、ポケット部ａが重ね合わされ、フラップＡとフラップＢからなる上蓋により収容部１の上部開口２が覆われる（図９参照）。上蓋により覆われた収容部１の上部開口２は開放状態への復帰が阻止され、衣類など物品７の収容部１からの飛び出しや上部開口２からの脱落が防止される。
【００１４】挿入口５から外方に突出する挿入片６は収容体５０の運搬時などにおいて把手として使用することができる（図３、１６参照）。すなわち収容部１の上方に位置する挿入片６を握持しながら収容体５０を運搬などする。挿入口５に挿入され挿入口５から外方に突出する挿入片６はさらに上方へ引き出すことができる（図１７参照）。挿入片６の引き出しとともにフラップＢの一部も上方に引き出され、収容部１の上部開口２が開放状態へ復帰するを確実に阻止する。また前記のようにフラップＢがフラップＡより長く形成されているから、フラップＢの挿入口５からの引き出しが容易である。
【００１５】物品の運搬後等における物品の取り出しは、挿入口５に係止され外方に突出する挿入片６を挿入口５から内方に戻して両者の係止を解除する。係止の解除によりフラップＡ、Ｂの組み合わせからなる上蓋が解消して収容部の上部開口２が開放されるから、収容部１より物品７を取り出すことができる。この場合、収容部１の上下関係の逆転、すなわち上部開口２が下方側となるように収容部１を逆さにした状態で上部開口２を開放すると、収容部１内の物品が自重により自然に落下する。あるいは落下しやすくなり容易に物品を取り出すことができる（図１８、１９参照）。収容部１の下部３の外側に設けられた把手１１を介して収容体５０を持ち上げると、収容部１の上下を容易に逆転することができる。このように一対の係脱手段である挿入片６と挿入口５との挿脱により両フラップが着脱可能に連結され、重ね合わされたフラップＡ、Ｂにより収容部１の上部開口２が覆われる。
【００１６】収容体５０の使用方法は任意であるが、その１例として収容体５０を台車２２に取り付けて使用する場合について説明する（図１０乃至図１９参照）。台車２２はＸ状に交差する枠体２３と、脚部２５の下端にもけられた動輪２６と、収容体５０を載置する支持台２７とを備え、Ｘ状に交差する枠体２３は軸部２９に開閉可能に枢着されている。支持台２７にはフラップＡ、Ｂを上方にした収容体５０が載置される。並行する一対の上部枠ｃ、ｄは固定部であり、上部枠ｃにポケット部ａ、ｂを介してフラップＡ、Ｂが上部枠ｃ、ｄに着脱可能に係合される。すなわち、フラップＡ、Ｂの外側のポケット部ａ、ｂの下縁９、１０の開口より上部枠ｃ、上部枠ｄをポケット部内に進入させることにより、ポケット部ａ、ｂが上部枠ｃ、上部枠ｄにそれぞれ係合される（図１０、１１）。フラップＡ、Ｂはポケット部ａ、ｂを介して固定部の上部枠ｃと上分枠ｄに確実に取着される。この状態では収容部１の上部開口２が大きくは開放され、収容部１に物品を入れる作業が容易である。
【００１７】次にフラップＡを持ち上げてポケット部ａと上部枠ｃとの係合を解除するとともにポケット部の内部が外方になるようにポケット部ａを反転させる。そしてポケット部ｂを介して上部枠ｄに係合されているフラップＢに対して、フラップＢを外方から覆うようにポケット部ａを反転させることができる。この反転によりフラップＡの外側にあるポケット部ａがフラップＡの内側へと変位するとともに、ポケット部ａ内にフラップＢが挿入された状態となる。同時にポケット部ａとポケット部ｂを介して上枠部ｄに係合されたフラップＡとフラップＢが重ね合わされる（図１３乃至図１５参照）。
【００１８】フラップＡ（あるいはポケット部ａ）の挿入口５に対しては、一方のフラップＢ（あるいはポケット部ｂ）の挿入片６が挿入される。挿入片６と挿入口５は位置的にほぼ対応関係にあり、挿入片６は挿入口５に容易に挿入される。挿入片６の挿入口５への挿入係止により連結して重ね合わされた両フラップＡ、Ｂは収容部１の上部開口２の上蓋となり、上部開口２を開閉可能に覆う。そして両フラップあるいは挿入口５から突出する挿入片６５を握りながら収容部１を持ち上げると、上枠部ｄとの係合が解除される。この場合、挿入片６は収容部１を持ち上げる際の把手として使用することができる。また挿入片６を挿入口５から上方へ引き出し、フラップＢを挿入口５から外方に大きく引き出すこともできる（図１６、１７参照）。
【００１９】物品は収容部１から手取り出すことができる。収容部１の下部３の把手１１を介して収容部１の上下方向を逆転して収納体５０を引き上げる一方、両フラップＡ、Ｂが下方に向いた状態で挿入片６と挿入口５との係止関係を解除するとともに両フラップＡ、Ｂの連結を解除する。これにより上部開口２は開放状態となり、下向きに開放された上部開口２からクリーニング用の衣類などの物品７が自重などで落下する。あるいは簡易に取り出すことができる。物品７の取り出し後は、フラップＡのポケット部ａの内部を反転するとポケット部ａはフラップＡの内側から側に戻り、再度、上枠部ｃに係合することができる（図１８、１９参照）。尤もポケット部を固定部（上枠部）に係合しない場合には、フラップのいずれの面にポケット部を配置するかは特に問題とならない。またポケット部は種々の作業時における収容体５０あるいは収容部１の手掛け、例えば、ポケット部に手の一部を挿入しながら収容部１を持ち上げることもできる。
【産業上の利用可能性】
【００２０】本考案にかかる収容体５０は衣類やリネンのクリーニング業のみならず、種々の物品にかんする運搬、保管などに使用される収容体として関係産業分野において利用される。
【図面の簡単な説明】
【００２１】
【図１】本考案にかかる収容体であって一方のフラップＡをやや開いた状態を示す斜視図である。
【図２】同収容体であってその縦断面を示す斜視図である。
【図３】同収容体であって収容部に物品を収容した状態を示す正面図である。
【図４】同収容体であって両フラップＡ、Ｂをやや開いた状態を示す斜視図である。
【図５】図４の収容体を台車に載置した状態を示す斜視図である。
【図６】図５の収容体に物品を収容した状態を示す斜視図である。
【図７】同収容体であって両フラップの外側のポケット部を示す縦断面図である。
【図８】図７の収容体であってフラップＡの内側に変位したポケット部を示す縦断面図である。
【図９】図８の収容体であってフラップＢにフラップＡを重ね合わせた状態を示す縦断面図である。
【図１０】本発明の収容体を台車の上枠部に取り付ける前の状態の説明的な正面図である。
【図１１】図１０の収容体を台車の上枠部に取り付けた状態の説明的な正面図である。
【図１２】図１１の収容体において一方のフラップＡを上枠部から取り外す状態の説明的な正面図である。
【図１３】図１２の収容体において一方のフラップＡを上枠部から取り外した状態の説明的な正面図である。
【図１４】図１３の収容体において一方のフラップＡのポケット部ａを反転させる状態の説明的な正面図である。
【図１５】図１４の収容体において一方のフラップＡを反転されたポケット部ａとともに他方のフラップＢに重ね合わせた状態の説明的な正面図である。
【図１６】図１５の収容体において重ね合わされた両フラップＡ、Ｂを上枠部から取り外した状態の説明的な正面図である。
【図１７】図１６の収容体においてフラップＢを上方に引き出した状態の説明的な正面図である（但し台車はなし）。
【図１８】図１７の収容体において上下方向を逆転させ、フラップＡを下方に向けた状態の説明的な正面図である。
【図１９】図１８の収容体においてフラップＡ、Ｂの連結状態を解除し、下方に向いた上部開口が開放された状態の説明的な正面図である。
【図２０】従来のクリーニング用の物品の運搬袋の斜視図である。
【符号の説明】
１  収容部
２  上部開口
３  収容部の下部
５  挿入口
６  挿入片
７  物品
９  ポケット部ａの下縁
１０  ポケット部ｂの下縁
１１  把手
１２  上部開口の上縁
１３  ポケット部ａの上縁、フラップＡの上縁
１５  ポケット部ｂの上縁、フラップＢの上縁
２０  収容部の隅部
２１  補強片
２２  台車
２３  枠体
２５  脚部
２７  支持台
２９  軸部
５０  収容体
【図１】
0003117023.tif 000003
【図２】
0003117023.tif 000004
【図３】
0003117023.tif 000005
【図４】
0003117023.tif 000006
【図５】
0003117023.tif 000007
【図６】
0003117023.tif 000008
【図７】
0003117023.tif 000009
【図８】
0003117023.tif 000010
【図９】
0003117023.tif 000011
【図１０】
0003117023.tif 000012
【図１１】
0003117023.tif 000013
【図１２】
0003117023.tif 000014
【図１３】
0003117023.tif 000015
【図１４】
0003117023.tif 000016
【図１５】
0003117023.tif 000017
【図１６】
0003117023.tif 000018
【図１７】
0003117023.tif 000019
【図１８】
0003117023.tif 000020
【図１９】
0003117023.tif 000021
【図２０】
0003117023.tif 000022